(57)【要約】【課題】ＨＤ−ＤＶＤにおいて、トラックアドレスを有効活用する。【解決手段】ＨＤ−ＤＶＤの光ディスク１０には、グルーブ及びランドの両方にデータが記録される。グルーブトラックにはグルーブ専用のＧトラックアドレス系が形成され、ランドトラックにはランド専用のＬトラックアドレス系が形成される。グルーブトラックトレース時にＧトラックアドレス系からアドレス情報Ｘを読み出すとともにＬトラックアドレス系からもアドレス情報Ｙを読み出す。Ｘ＝ＹあるいはＸ＝Ｙ＋１の関係を満たさない場合に、アドレス情報Ｘはエラーと判定する。【選択図】図１
2005259189.tif 000002
【特許請求の範囲】
【請求項１】
グルーブ及びランドをウォブルさせることでアドレス情報が埋め込まれ、前記アドレス情報は連続する２つのアドレス値の符号化距離が１となるグレーコードに変換されて埋め込まれた光ディスクのグルーブ及びランドにデータの記録あるいは再生を行う光ディスク装置であって、
前記グルーブのアドレス情報は、前記グルーブを形成する内周側ウォブルと外周側ウォブルの位相が同一である同相ウォブルで規定されるグルーブトラックアドレス系と、前記グルーブを形成する内周側ウォブルと外周側ウォブルの位相が反転した逆相ウォブルを含んで規定されるランドトラックアドレス系の２つのアドレス系を含み、
前記グルーブトラックアドレス系を再生して得られるウォブル信号から第１グルーブアドレス情報Ｘを復調する手段と、
前記ランドトラックアドレス系を再生して得られるウォブル信号から第２グルーブアドレス情報Ｙを復調する手段と、
前記第１グルーブアドレス情報Ｘに対し、前記第２グルーブアドレス情報ＹがＸ＝ＹあるいはＸ＝Ｙ＋１のいずれでもない場合に、前記第１グルーブアドレス情報Ｘのエラーを判定する手段と、
を有することを特徴とする光ディスク装置。
【請求項２】
グルーブ及びランドをウォブルさせることでアドレス情報が埋め込まれ、前記アドレス情報は連続する２つのアドレス値の符号化距離が１となるグレーコードに変換されて埋め込まれた光ディスクのグルーブ及びランドにデータの記録あるいは再生を行う光ディスク装置であって、
前記ランドのアドレス情報は、前記ランドを形成する内周側ウォブルと外周側ウォブルの位相が同一である同相ウォブルで規定されるランドトラックアドレス系と、前記ランドを形成する内周側ウォブルと外周側ウォブルの位相が反転した逆相ウォブルを含んで規定されるグルーブトラックアドレス系の２つのアドレス系を含み、
前記ランドトラックアドレス系を再生して得られるウォブル信号から第１ランドアドレス情報Ｘを復調する手段と、
前記グルーブトラックアドレス系を再生して得られるウォブル信号から第２ランドアドレス情報Ｙを復調する手段と、
前記第１ランドアドレス情報Ｘに対し、前記第２ランドアドレス情報ＹがＸ＝ＹあるいはＸ＝Ｙ−１のいずれでもない場合に、前記第１ランドアドレス情報Ｘのエラーを判定する手段と、
を有することを特徴とする光ディスク装置。
【請求項３】
グルーブ及びランドをウォブルさせることでアドレス情報が埋め込まれ、前記アドレス情報は連続する２つのアドレス値の符号化距離が１となるグレーコードに変換されて埋め込まれた光ディスクのグルーブ及びランドにデータの記録あるいは再生を行う光ディスク装置であって、
前記グルーブのアドレス情報は、前記グルーブを形成する内周側ウォブルと外周側ウォブルの位相が同一である同相ウォブルで規定されるグルーブトラックアドレス系と、前記グルーブを形成する内周側ウォブルと外周側ウォブルの位相が反転した逆相ウォブルを含んで規定されるランドトラックアドレス系の２つのアドレス系を含み、かつ、前記ランドのアドレス情報は、前記ランドを形成する内周側ウォブルと外周側ウォブルの位相が同一である同相ウォブルで規定されるランドトラックアドレス系と、前記ランドを形成する内周側ウォブルと外周側ウォブルの位相が反転した逆相ウォブルを含んで規定されるグルーブトラックアドレス系の２つのアドレス系を含み、
グルーブトレース時においてグルーブトラックアドレス系を再生して得られるウォブル信号、あるいはランドトレース時においてランドトラックアドレス系を再生して得られるウォブル信号から第１アドレス情報Ｘを復調する手段と、
前記グルーブトレース時において前記ランドトラックアドレス系を再生して得られるウォブル信号、あるいは前記ランドトレース時において前記グルーブトラックアドレス系を再生して得られるウォブル信号から第２アドレス情報Ｙを復調する手段と、
前記第１アドレス情報Ｘに対し、前記第２アドレス情報Ｙが、｜Ｘ−Ｙ｜＞１である場合に、前記第１アドレス情報Ｘのエラーを判定する手段と、
を有することを特徴とする光ディスク装置。
【発明の詳細な説明】
【技術分野】
【０００１】
本発明は光ディスク装置、特にグルーブ及びランドを用いてデータの記録／再生を行う高密度の光ディスク装置に関する。
【背景技術】
【０００２】
近年、次世代ＤＶＤとしてＨＤ（Ｈｉｇｈ−Ｄｅｆｉｎｉｔｉｏｎ）−ＤＶＤが提案されている。ＨＤ−ＤＶＤにおいては、現行ＤＶＤのディスク構造を踏襲してＤＶＤとの互換性を確保しつつ、ＤＶＤ以上のさらなる高密度化を図っている。
【０００３】
ＨＤ−ＤＶＤの一つの特徴は、ランドとグルーブのいずれにも情報を記録するランド・グルーブ記録方式を採用した点にある。ランドトラック及びグルーブトラックをウォブル（蛇行）させ、このウォブルにアドレス情報を埋め込む。具体的には、位相変調を用いて０度の位相を「０」、１８０度の位相を「１」としてアドレス情報を表現する。なお、アドレス情報は、２進データをグレーコードに変換してウォブルに埋め込まれる。ここに、グレーコードとは、隣接する２進データの間の符号間距離、すなわち反転ビット数を１とするコードである。これにより、アドレス「０」は「００００００００」、アドレス１は「０００００００１」、アドレス「２」は「００００００１１」、アドレス「３」は「００００００１０」、アドレス「４」は「０００００１１０」等とグレーコードで表現される。
【０００４】
図５には、ＨＤ−ＤＶＤのウォブルが模式的に示されている。あるグルーブトラックは内周側ウォブルと外周側ウォブルがともに０度の「０」と、内周側ウォブル及と外周側ウォブルがともに１８０度の「１」から「０００１」とアドレス情報が埋め込まれ、次のグルーブトラックは同様に内周側ウォブルと外周側ウォブルがともに０度の「０」と、内周側ウォブル及と外周側ウォブルがともに１８０度の「１」から「００１１」とアドレス情報が埋め込まれる。一方、その間のランドトラックは、連続するグルーブトラックの反転ビット位置において内周側ウォブルと外周側ウォブルとが逆相となり（図中、位置１００位）ウォブル信号が特定されない。
【０００５】
そこで、ＨＤ−ＤＶＤでは、ランド、グルーブそれぞれのトラックアドレスを埋め込む専用領域を設け、トラック方向に沿ってずらせて形成している。これにより、ランドトラックのアドレス情報を読み出す場合、グルーブ専用領域は読み飛ばし、次のランド専用領域にあるトラックアドレスを読み出すようにしている。
【０００６】
図６には、ＨＤ−ＤＶＤのアドレス構成が模式的に示されている。図において、グルーブ専用領域は「Ｇトラックアドレス系」、ランド専用領域は「Ｌトラックアドレス系」として示されている。グルーブトラック及びランドトラックはそれぞれトラック方向に複数のセグメントに分割される。セグメントアドレスは、ディスクを１周する毎にリセットされるように規定されており、すなわちグルーブＮのセグメント１の隣にはランドＮのセグメント１が、さらにその隣にはグルーブＮ＋１のセグメント１が配置される。
【０００７】
グルーブＮのＧトラックアドレス系には同相ウォブルでアドレス「Ｎ」が埋め込まれ、隣接するランドＮのＬトラックアドレス系には同相ウォブルでアドレス「Ｎ」が埋め込まれる。したがって、グルーブトラックＮ（グルーブＮ）をトレースする場合にはセグメント及びＧトラックアドレス系のウォブル信号を再生し、ランドトラックＮ（ランドＮ）をトレースする場合にはセグメントの次にＧトラックアドレス系を飛び越してＬトラックアドレス系のウォブル信号を再生してアドレス情報を得る。
【０００８】
【特許文献１】「日経エレクトロニクス１０月１３日号」日経ＢＰ社，２００３年１０月１３日発行，ｐ１２６−１３４
【発明の開示】
【発明が解決しようとする課題】
【０００９】
このように、ランドＮをトレースする場合にはＧトラックアドレス系を飛び越してＬトラックアドレス系を読み出すため、図６のＡで示されるＧトラックアドレス系はアドレス情報再生時には不要あるいは無駄な領域となってしまう。同様に、グルーブＮ＋１をトレースする場合にはＬトラックアドレス系を用いることがないので、図６のＢで示されるＬトラックアドレス系は無駄な領域となってしまう。これらの領域には逆相ウォブルが含まれているためアドレス情報としては不定となるが、これらの情報を有効活用する技術が望まれる。
【００１０】
本発明の目的は、グルーブトラックトレース時においてもＬトラックアドレス系の情報を有効活用できる光ディスク装置を提供することにある。
【００１１】
また、ランドトラックトレース時においてもＧトラックアドレス系の情報を有効活用できる光ディスク装置を提供することにある。
【課題を解決するための手段】
【００１２】
本発明は、グルーブ及びランドをウォブルさせることでアドレス情報が埋め込まれ、前記アドレス情報は連続する２つのアドレス値の符号化距離が１となるグレーコードに変換されて埋め込まれた光ディスクのグルーブ及びランドにデータの記録あるいは再生を行う光ディスク装置であって、前記グルーブのアドレス情報は、前記グルーブを形成する内周側ウォブルと外周側ウォブルの位相が同一である同相ウォブルで規定されるグルーブトラックアドレス系と、前記グルーブを形成する内周側ウォブルと外周側ウォブルの位相が反転した逆相ウォブルを含んで規定されるランドトラックアドレス系の２つのアドレス系を含み、前記グルーブトラックアドレス系を再生して得られるウォブル信号から第１グルーブアドレス情報Ｘを復調する手段と、前記ランドトラックアドレス系を再生して得られるウォブル信号から第２グルーブアドレス情報Ｙを復調する手段と、前記第１グルーブアドレス情報Ｘに対し、前記第２グルーブアドレス情報ＹがＸ＝ＹあるいはＸ＝Ｙ＋１のいずれでもない場合に、前記第１グルーブアドレス情報Ｘのエラーを判定する手段とを有することを特徴とする。
【００１３】
また、本発明は、グルーブ及びランドをウォブルさせることでアドレス情報が埋め込まれ、前記アドレス情報は連続する２つのアドレス値の符号化距離が１となるグレーコードに変換されて埋め込まれた光ディスクのグルーブ及びランドにデータの記録あるいは再生を行う光ディスク装置であって、前記ランドのアドレス情報は、前記ランドを形成する内周側ウォブルと外周側ウォブルの位相が同一である同相ウォブルで規定されるランドトラックアドレス系と、前記ランドを形成する内周側ウォブルと外周側ウォブルの位相が反転した逆相ウォブルを含んで規定されるグルーブトラックアドレス系の２つのアドレス系を含み、前記ランドトラックアドレス系を再生して得られるウォブル信号から第１ランドアドレス情報Ｘを復調する手段と、前記グルーブトラックアドレス系を再生して得られるウォブル信号から第２ランドアドレス情報Ｙを復調する手段と、前記第１ランドアドレス情報Ｘに対し、前記第２ランドアドレス情報ＹがＸ＝ＹあるいはＸ＝Ｙ−１のいずれでもない場合に、前記第１ランドアドレス情報Ｘのエラーを判定する手段とを有することを特徴とする。
【００１４】
また、本発明は、グルーブ及びランドをウォブルさせることでアドレス情報が埋め込まれ、前記アドレス情報は連続する２つのアドレス値の符号化距離が１となるグレーコードに変換されて埋め込まれた光ディスクのグルーブ及びランドにデータの記録あるいは再生を行う光ディスク装置であって、前記グルーブのアドレス情報は、前記グルーブを形成する内周側ウォブルと外周側ウォブルの位相が同一である同相ウォブルで規定されるグルーブトラックアドレス系と、前記グルーブを形成する内周側ウォブルと外周側ウォブルの位相が反転した逆相ウォブルを含んで規定されるランドトラックアドレス系の２つのアドレス系を含み、かつ、前記ランドのアドレス情報は、前記ランドを形成する内周側ウォブルと外周側ウォブルの位相が同一である同相ウォブルで規定されるランドトラックアドレス系と、前記ランドを形成する内周側ウォブルと外周側ウォブルの位相が反転した逆相ウォブルを含んで規定されるグルーブトラックアドレス系の２つのアドレス系を含み、グルーブトレース時においてグルーブトラックアドレス系を再生して得られるウォブル信号、あるいはランドトレース時においてランドトラックアドレス系を再生して得られるウォブル信号から第１アドレス情報Ｘを復調する手段と、前記グルーブトレース時において前記ランドトラックアドレス系を再生して得られるウォブル信号、あるいは前記ランドトレース時において前記グルーブトラックアドレス系を再生して得られるウォブル信号から第２アドレス情報Ｙを復調する手段と、前記第１アドレス情報Ｘに対し、前記第２アドレス情報Ｙが、｜Ｘ−Ｙ｜＞１である場合に、前記第１アドレス情報Ｘのエラーを判定する手段とを有することを特徴とする。
【００１５】
本発明では、グルーブをトレースする場合に、グルーブトラックアドレス系からアドレス情報を復調するとともに、逆相ウォブルを含むため本来的に不定となるランドトラックアドレス系からもアドレス情報を復調し、両アドレス情報を比較する。ランドトラックアドレス系から読み出されたアドレス情報は不定であるものの、アドレス情報は符号間距離が１のグレーコードで符号化されているため、隣接するトラックアドレスのいずれかの値となる。すなわち、ランドトラックアドレス系から得られた第２アドレス情報Ｙは、グルーブトラックアドレス系から得られた第１グルーブアドレス値Ｘに対して等しいか、あるいは１だけ小さい値をとる（内周側から外周側に向けて、グルーブ１、ランド１、グルーブ２、ランド２・・・と形成されている場合）。そこで、アドレス情報Ｘとアドレス情報Ｙとが所定の関係、すなわちＸ＝ＹあるいはＸ＝Ｙ＋１を満たすか否かを判定し、満たす場合にはアドレス情報Ｘは正常の可能性があり、満たさなければアドレス情報Ｘはエラーであると判定できる。
【００１６】
また、ランドをトレースする場合に、ランドトラックアドレス系からアドレス情報を復調するとともに、逆相ウォブルを含むため本来的に不定となるグルーブトラックアドレス系からもアドレス情報を復調し、両アドレス情報を比較する。グルーブトラックアドレス系から読み出されたアドレス情報は不定であるものの、アドレス情報は符号間距離が１のグレーコードで符号化されているため、隣接するトラックアドレスのいずれかの値となる。すなわち、グルーブトラックアドレス系から得られた第２アドレス情報Ｙは、ランドトラックアドレス系から得られた第１グルーブアドレス値Ｘに対して等しいか、あるいは１だけ大きい値をとる（内周側から外周側に向けて、グルーブ１、ランド１、グルーブ２、ランド２・・・と形成されている場合）。そこで、アドレス情報Ｘとアドレス情報Ｙとが所定の関係、すなわちＸ＝ＹあるいはＸ＝Ｙ−１を満たすか否かを判定し、満たす場合にはアドレス情報Ｘは正常の可能性があり、満たさなければアドレス情報Ｘはエラーであると判定できる。
【発明の効果】
【００１７】
本発明によれば、グルーブトラックに形成されたランドトラックアドレス系を活用してグルーブトラックのアドレス情報を検証できる。
【００１８】
また、ランドトラックの形成されたグルーブトラックアドレス系を活用してランドトラックのアドレス情報を検証できる。
【発明を実施するための最良の形態】
【００１９】
以下、図面に基づき本発明の実施形態について説明する。
【００２０】
図１には、本実施形態に係る光ディスク装置の全体構成図が示されている。光ディスク１０はスピンドルモータ（ＳＰＭ）１２により回転駆動される。スピンドルモータＳＰＭ１２は、ドライバ１４で駆動され、ドライバ１４はサーボプロセッサ３０により所望の回転速度となるようにサーボ制御される。本実施形態では、一例として、ドライバ１４は光ディスク１０を内周から外周の間で複数のゾーンに分割し、各ゾーンにおいて角速度一定（ＺＣＡＶ）となるように駆動する。
【００２１】
光ピックアップ１６は、レーザ光を光ディスク１０に照射するためのレーザダイオード（ＬＤ）や光ディスク１０からの反射光を受光して電気信号に変換するフォトディテクタ（ＰＤ）を含み、光ディスク１０に対向配置される。光ピックアップ１６はスレッドモータ１８により光ディスク１０の半径方向に駆動され、スレッドモータ１８はドライバ２０で駆動される。ドライバ２０は、ドライバ１４と同様にサーボプロセッサ３０によりサーボ制御される。また、光ピックアップ１６のＬＤはドライバ２２により駆動され、ドライバ２２はオートパワーコントロール回路（ＡＰＣ）２４により駆動電流が所望の値となるように制御される。ＡＰＣ２４は、光ディスク１０のテストエリア（ＰＣＡ）において実行されたＯＰＣ（Optimum Power Control）により選択された最適記録パワーとなるようにドライバ２２の駆動電流を制御する。ＯＰＣは、光ディスク１０のＰＣＡに記録パワーを複数段に変化させてテストデータを記録し、該テストデータを再生してその信号品質を評価し、所望の信号品質が得られる記録パワーを選択する処理である。信号品質には、β値やγ値、変調度、ジッタ等が用いられる。
【００２２】
光ディスク１０に記録されたデータを再生する際には、光ピックアップ１６のＬＤから再生パワーのレーザ光が照射され、その反射光がＰＤで電気信号に変換されて出力される。光ピックアップ１６からの再生信号はＲＦ回路２６に供給される。ＲＦ回路２６は、再生信号からフォーカスエラー信号やトラッキングエラー信号を生成し、サーボプロセッサ３０に供給する。サーボプロセッサ３０は、これらのエラー信号に基づいて光ピックアップ１６をサーボ制御し、光ピックアップ１６をオンフォーカス状態及びオントラック状態に維持する。
【００２３】
光ピックアップ１６は、光ディスク１０のグルーブ及びランドに対して記録／再生を行う。光ディスク１０には螺旋状にグルーブが形成されており、例えばグルーブ１→ランド１→グルーブ２→ランド２→グルーブ３→ランド３→・・等とグルーブとランド間で交互にデータを記録／再生する。あるいは、ゾーン毎にグルーブのみ記録／再生した後にランドに記録／再生する等、ゾーン毎にゾーン内のグルーブを全て記録／再生した後に同一ゾーン内のランドを記録／再生してもよい。また、ＲＦ回路２６は、再生信号に含まれるアドレス信号をアドレスデコード回路２８に供給する。アドレスデコード回路２８はアドレス信号から光ディスク１０のアドレスデータを復調し、サーボプロセッサ３０やシステムコントローラ３２に供給する。アドレスデータは、光ディスク１０のグルーブ及びランドにウォブルとして埋め込まれる。光ディスク１０は、アドレスデータとして、セグメントアドレス及びトラックアドレスを含む。アドレスデータは、グレーコードとして光ディスク１０に形成される。
【００２４】
光ディスク１０のアドレスフォーマットは、既述したように２つのアドレス系から構成される。一方のアドレス系でグルーブトラックアドレスを常に検出し（Ｇトラックアドレス系）、他方のアドレス系でランドトラックアドレスを常に検出する（Ｌトラックアドレス系）。グルーブトラックにはＧトラックアドレス系とＬトラックアドレス系がトラック方向に沿って形成され、ランドトラックにもＧトラックアドレス系とＬトラックアドレス系がトラック方向に沿って形成される。グルーブトラックにおけるＧトラックアドレス系、及びランドトラックにおけるＬトラックアドレス系では常にウォブルが同相ウォブルとなるように調整されるため、再生信号に含まれるウォブル信号からアドレスを検出できる。
【００２５】
ＲＦ回路２６は、再生ＲＦ信号を２値化回路３４に供給する。２値化回路３４は、再生信号を２値化し、得られた信号をエンコード／デコード回路３６に供給する。エンコード／デコード回路３６では、２値化信号を復調及びエラー訂正して再生データを得、当該再生データをインタフェースＩ／Ｆ４０を介してパーソナルコンピュータなどのホスト装置に出力する。なお、再生データをホスト装置に出力する際には、エンコード／デコード回路３６はバッファメモリ３８に再生データを一旦蓄積した後に出力する。
【００２６】
光ディスク１０にデータを記録する際には、ホスト装置からの記録すべきデータはインターフェースＩ／Ｆ４０を介してエンコード／デコード回路３６に供給される。エンコード／デコード回路３６は、記録すべきデータをバッファメモリ３８に格納し、当該記録すべきデータをエンコードして変調データ（ＥＴＭ変調（Eight to Twelve Modulation））としてライトストラテジ回路４２に供給する。ライトストラテジ回路４２は、変調データを所定の記録ストラテジに従ってマルチパルス（パルストレーン）に変換し、記録データとしてドライバ２２に供給する。記録ストラテジは、例えばマルチパルスにおける先頭パルスのパルス幅や後続パルスのパルス幅、パルスデューティから構成される。記録ストラテジは記録品質に影響することから、通常はある最適ストラテジに固定される。ＯＰＣ時に記録ストラテジを併せて設定してもよい。記録データによりパワー変調されたレーザ光は光ピックアップ１６のＬＤから照射されて光ディスク１０にデータが記録される。データを記録した後、光ピックアップ１６は再生パワーのレーザ光を照射して当該記録データを再生し、ＲＦ回路２６に供給する。ＲＦ回路２６は再生信号を２値化回路３４に供給し、２値化されたデータはエンコード／デコード回路３６に供給される。エンコード／デコード回路３６は、変調データをデコードし、バッファメモリ３８に記憶されている記録データと照合する。ベリファイの結果はシステムコントローラ３２に供給される。システムコントローラ３２はベリファイの結果に応じて引き続きデータを記録するか、あるいは交替処理を実行するかを決定する。
【００２７】
このような構成において、グルーブにデータを記録／再生すべく、グルーブトラックをトレースしてアドレスを検出する場合、グルーブに形成されたＧトラックアドレス系は問題なく検出することができるが、Ｌトラックアドレス系は逆相ウォブルとなって検出不能（ＮＧ）となる。本実施形態では、このＮＧとなるＬトラックアドレス系からもランドアドレスを検出し、従来においては用いられていなかった情報を有効活用する。すなわち、本来的に不定となるＬトラックアドレス系からアドレスを検出し、このアドレスとＧトラックアドレス系から検出されたグルーブアドレスとを比較し、グルーブアドレスの検証を行う。
【００２８】
同様に、ランドにデータを記録／再生すべく、ランドトラックをトレースしてアドレスを検出する場合、ランドに形成されたＬトラックアドレス系からランドアドレスを検出し、逆相ウォブルとなるＧトラックアドレス系からもアドレスを検出して、このアドレスとＬトラックアドレス系から検出されたランドアドレスとを比較し、ランドアドレスの検証を行う。
【００２９】
図２には、本実施形態のアドレス検出処理が模式的に示されている。光ディスク１０には内周側から外周側に向けてランドＮ−１、グルーブＮ、ランドＮ、グルーブＮ＋１・・と形成されているものとする。グルーブＮをトレースする場合、Ｇトラックアドレス系からアドレス値（Ｎ）が読み出される。これをアドレスＸとする。この時点では、アドレスＸは正確なアドレスか否か不明である。次に、同じグルーブＮにおいて、Ｌトラックアドレス系のアドレス情報を読み取る。Ｌトラックアドレス系は逆相ウォブルを含んでおり、一義的にアドレスを決定することができないが、アドレス情報は符号間距離が１のグレーコードで埋め込まれており、Ｌトラックアドレス系のアドレス情報のうち、１つのビットのみが逆相ウォブルとなっているから、そのアドレスはＮ−１かＮのいずれかである。すなわち、逆相ウォブルとなっている信号部分を０と読み取った場合にはアドレスはＮ−１となり、逆相ウォブルとなっている信号部分を１と読み取った場合にはアドレスはＮとなる。Ｌトラックアドレス系は、このようにＮ−１かＮかいずれかの値を取り得るのであり、このアドレス値をＹとする。
【００３０】
Ｇトラックアドレス系から読み取ったアドレス値Ｘが仮に正しい値である場合、Ｘ＝Ｎ
であり、Ｙ＝ＮあるいはＮ−１であることを考慮すると、Ｘ＝ＹあるいはＸ＝Ｙ＋１の関係にある。一方、仮にＧトラックアドレス系から読み取ったアドレス値Ｘが誤りであり、例えばＸ＝Ｎ−２あるいはＮ＋２となっていた場合、Ｘ＝ＹあるいはＸ＝Ｙ＋１の関係を満たさず、これはアドレス値Ｘの読み取りエラーであると判定できる。
【００３１】
但し、Ｇトラックアドレス系から読み取ったアドレス値Ｘが誤りであり、例えばＸ＝Ｎ−１となっていた場合、Ｌトラックアドレス系からアドレスを読み取るとＹ＝Ｎ−１となる場合もあるから、Ｘ＝Ｙとなり、Ｇトラックアドレス系のアドレス値Ｘのエラーを判定することはできない。すなわち、本実施形態では、Ｇトラックアドレス系のアドレス２番地以上の読み取りエラーを検出できる。
【００３２】
一方、ランドＮをトレースする場合、Ｌトラックアドレス系からアドレス値（Ｎ）が読み出される。これをアドレスＸとする。この時点では、アドレスＸは正確なアドレスか否か不明である。次に、同じランドＮにおいて、Ｇトラックアドレス系のアドレス情報を読み取る。Ｇトラックアドレス系は逆相ウォブルを含んでおり、一義的にアドレスを決定することができないが、アドレス情報は符号間距離が１のグレーコードで埋め込まれており、Ｇトラックアドレス系のアドレス情報のうち、１つのビットのみが逆相ウォブルとなっているから、そのアドレスはＮかＮ＋１のいずれかである。すなわち、逆相ウォブルとなっている信号部分を０と読み取った場合にはアドレスはＮとなり、逆相ウォブルとなっている信号部分を１と読み取った場合にはアドレスはＮ＋１となる。Ｇトラックアドレス系は、このようにＮかＮ＋１かいずれかの値を取り得るのであり、このアドレス値をＹとする。
【００３３】
Ｌトラックアドレス系から読み取ったアドレス値Ｘが仮に正しい値である場合、Ｘ＝Ｎ
であり、Ｙ＝ＮあるいはＮ＋１であることを考慮すると、Ｘ＝ＹあるいはＸ＝Ｙ−１の関係にある。一方、仮にＬトラックアドレス系から読み取ったアドレス値Ｘが誤りであり、例えばＸ＝Ｎ−２あるいはＮ＋２となっていた場合、Ｘ＝ＹあるいはＸ＝Ｙ＋１の関係を満たさず、これはアドレス値Ｘの読み取りエラーであると判定できる。
【００３４】
但し、Ｌトラックアドレス系から読み取ったアドレス値Ｘが誤りであり、例えばＸ＝Ｎ＋１となっていた場合、Ｌトラックアドレス系からアドレスを読み取るとＹ＝Ｎ＋１となる場合もあるから、Ｘ＝Ｙとなり、Ｌトラックアドレス系のアドレス値Ｘのエラーを判定することはできない。すなわち、Ｌトラックアドレス系のアドレス２番地以上の読み取りエラーを検出できることになる。
【００３５】
図３には、グルーブトラックをトレースする場合のアドレス情報検証処理フローチャートが示されている。
【００３６】
グルーブトラックをトレースする場合、セグメント情報を取得するとともに、Ｇトラックアドレス系の再生信号からウォブル信号を抽出し、これを復調してアドレス値Ｘを得る（Ｓ１０１）。具体的には、再生信号から所定のウォブル周波数を有する成分を抽出し、これを２値化してアドレス情報を得る。アドレス値Ｘはアドレスデコード回路２８からシステムコントローラ３２に供給される。
【００３７】
次に、同じグルーブトラックにおいてトラック方向に沿ってずれて形成されたＬトラックアドレス系の再生信号から同様にウォブル信号を抽出し、これを復調してアドレス値Ｙを得る（Ｓ１０２）。Ｌトラックアドレス系は逆相ウォブルを含んでいるためその部分のデータ値は不定であるが、しきい値で２値化してこれを０あるいは１として（強制的に）読み出す。アドレス値Ｙはアドレスデコード回路２８からシステムコントローラ３２に供給される。
【００３８】
Ｇトラックアドレス系からアドレス値Ｘ、Ｌトラックアドレス系からアドレス値Ｙを取得した後、システムコントローラ３２は、アドレス値Ｘとアドレス値Ｙとが所定の関係式、すなわちＸ＝ＹあるいはＸ＝Ｙ＋１のいずれかを満たしているかを判定する（Ｓ１０３）。例えば、Ｘ＝ＮでありＹ＝Ｎ−１である場合、アドレス値Ｘは正常でありＧトラックアドレス系のアドレス読み取りは正常に行われたとしてアドレス値Ｘを確定する（Ｓ１０４）。一方、Ｘ＝ＹあるいはＸ＝Ｙ＋１のいずれも満たさない場合、アドレス値Ｘは異常でありＧトラックアドレス系読み取りにエラーが生じたと判定する（Ｓ１０５）。読み取りエラーと判定した場合、システムコントローラ３２は所定のエラー処理を実行する。
【００３９】
図４には、ランドトラックをトレースする場合のアドレス情報検証処理フローチャートが示されている。
【００４０】
ランドトラックをトレースする場合、セグメント情報を取得するとともに、Ｌトラックアドレス系の再生信号からウォブル信号を抽出し、これを復調してアドレス値Ｘを得る（Ｓ２０１）。具体的には、再生信号から所定のウォブル周波数を有する成分を抽出し、これを２値化してアドレス情報を得る。アドレス値Ｘはアドレスデコード回路２８からシステムコントローラ３２に供給される。
【００４１】
次に、同じランドトラックにおいてトラック方向に沿ってずれて形成されたＧトラックアドレス系の再生信号から同様にウォブル信号を抽出し、これを復調してアドレス値Ｙを得る（Ｓ２０２）。Ｇトラックアドレス系は逆相ウォブルを含んでいるためその部分のデータ値は不定であるが、しきい値で２値化してこれを０あるいは１として（強制的に）読み出す。アドレス値Ｙはアドレスデコード回路２８からシステムコントローラ３２に供給される。
【００４２】
Ｌトラックアドレス系からアドレス値Ｘ、Ｇトラックアドレス系からアドレス値Ｙを取得した後、システムコントローラ３２は、アドレス値Ｘとアドレス値Ｙとが所定の関係式、すなわちＸ＝ＹあるいはＸ＝Ｙ−１のいずれかを満たしているかを判定する（Ｓ２０３）。例えば、Ｘ＝ＮでありＹ＝Ｎ＋１である場合、アドレス値Ｘは正常でありＬトラックアドレス系のアドレス読み取りは正常に行われたとしてアドレス値Ｘを確定する（Ｓ２０４）。一方、Ｘ＝ＹあるいはＸ＝Ｙ−１のいずれも満たさない場合、アドレス値Ｘは異常でありＬトラックアドレス系読み取りにエラーが生じたと判定する（Ｓ２０５）。読み取りエラーと判定した場合、システムコントローラ３２は所定のエラー処理を実行する。
【００４３】
このように、本実施形態では、グルーブトラックをトレースする場合にはＬトラックアドレス系の情報を用いてＧトラックアドレス系から読み出したアドレス情報の検証を行い、ランドトラックをトレースする場合にはＧトラックアドレス系の情報を用いてＬトラックアドレス系から読み出したアドレス情報の検証を行うので、グルーブトラックにおけるＬトラックアドレス系、及びランドトラックにおけるＧトラックアドレス系を有効活用してアドレス情報の精度あるいは信頼性を向上することができる。
【００４４】
なお、図３あるいは図４の処理に移行する際には、現在トレースしているトラックがグルーブトラックであるかランドトラックであるかを判別する必要があるが、例えばトラッキングサーボの極性で判別できる。
【００４５】
また、本実施形態では、図３のＳ１０３で示すように、グルーブトレース時にはＸ＝ＹあるいはＸ＝Ｙ＋１であるか否かを判定しているが、システムコントローラ３２は、｜Ｘ−Ｙ｜≦１であるか否かを判定し、この条件を満たさない場合に読み取りエラーと判定してもよい。同様に、ランドトレース時における処理（図４のＳ２０３）においても、｜Ｘ−Ｙ｜≦１であるか否かを判定し、この条件を満たさない場合に読み取りエラーと判定してもよい。もちろん、｜Ｘ−Ｙ｜＞１であるか否かを判定し、この条件を満たす場合にエラーと判定してもよい。
【図面の簡単な説明】
【００４６】
【図１】実施形態の全体構成図である。
【図２】実施形態のトラックアドレス説明図である。
【図３】グルーブトラックトレース時の処理フローチャートである。
【図４】ランドトラックトレース時の処理フローチャートである。
【図５】光ディスク（ＨＤ−ＤＶＤ）のウォブル説明図である。
【図６】光ディスク（ＨＤ−ＤＶＤ）のトラックアドレス説明図である。
【符号の説明】
【００４７】
１０  光ディスク（ＨＤ−ＤＶＤ）、３２  システムコントローラ、３６  エンコード／デコード回路。
【図１】
2005259189.tif 000003
【図２】
2005259189.tif 000004
【図３】
2005259189.tif 000005
【図４】
2005259189.tif 000006
【図５】
2005259189.tif 000007
【図６】
2005259189.tif 000008
【手続補正書】
【提出日】平成17年1月19日(2005.1.19)
【手続補正１】
【補正対象書類名】明細書
【補正対象項目名】００３４
【補正方法】変更
【補正の内容】
【００３４】
但し、Ｌトラックアドレス系から読み取ったアドレス値Ｘが誤りであり、例えばＸ＝Ｎ＋１となっていた場合、Ｇトラックアドレス系からアドレスを読み取るとＹ＝Ｎ＋１となる場合もあるから、Ｘ＝Ｙとなり、Ｌトラックアドレス系のアドレス値Ｘのエラーを判定することはできない。すなわち、Ｌトラックアドレス系のアドレス２番地以上の読み取りエラーを検出できることになる。
【手続補正２】
【補正対象書類名】図面
【補正対象項目名】図４
【補正方法】変更
【補正の内容】
【図４】
2005259189.tif 000009